(57)【要約】      （修正有）【課題】手動労力が、光ファイバーをリールに取り付ける工程段階から排除されることができる装置を提供する。【解決手段】光ファイバーリール取付装置は、テープ片を切断し、供給するように構成されたテープ供給所１６と、光ファイバー２をリールに取り付けるために、テープ供給所１６からテープ片を受け取るためのコレクター１５を有するフレームを含む取付装置５と、取付装置５を移動させるための、及び光ファイバー２をリールに取り付けるために、テープ片を有するコレクター１５を光ファイバー２とリールに押し付けるためのアクチュエータ５−１と、光ファイバー２を切断するためのカッター７と、を含む。【選択図】図５ｂ
2020015622.tif 000002
【特許請求の範囲】
【請求項１】
光ファイバーをリールに取り付ける装置であって、
テープ片を切断し、且つ供給するように構成された、テープ供給所（１６）と、
前記光ファイバー（２）を前記リールに取り付けるため、前記テープ供給所（１６）からテープ片を受け取るためのコレクター（１５）を有するフレームを含む取付装置（５）と、
前記取付装置（５）を移動するための、及び、前記光ファイバー（２）を前記リールに取り付けるために、前記テープ片を有するコレクター（１５）を、前記光ファイバー（２）と前記リールに押し付けるためのアクチュエータ（５−１）と、を含む前記光ファイバーをリールに取り付ける装置において、
前記光ファイバーを切断するためのカッター（７）を含み、前記カッター（７）は、ばね付勢フレーム（１４）が圧縮されるとき、コレクター（１５）を通り越して突出し、前記取付装置（５）の前記コレクター（１５）が前記光ファイバー（２）及び前記リールに押し付けられるとき、単一動作で、前記光ファイバー（２）を前記リールに取り付け、且つ光ファイバー（２）を切断することを特徴とする、前記光ファイバーをリールに取り付ける装置。
【請求項２】
前記コレクター（１５）は、前記テープ供給所（１６）からテープ片を受け取るための吸引パッドを含むことを特徴とする、請求項１による、光ファイバー（２）をリールに取り付ける装置。
【請求項３】
前記装置は、前記光ファイバー（２）をつかみ、そして、前記光ファイバー（２）の取り付け及び切断中、前記光ファイバー（２）を固定したままにしておくためのグリッパー（８）を含み、満杯の前記第１リールが前記交換領域（６）から取り出される間、空の第２リールが、前記光ファイバー（２）の巻き取りを継続するために前記交換領域（６）に提供されることを特徴とする、請求項１による、光ファイバーをリールに取り付ける装置。
【請求項４】
前記グリッパー（８）がさらに、前記ファイバーをつかむために、開閉するように配置された可動顎（１３）と、
前記グリッパーを前記光ファイバーに近づけたり、前記光ファイバーから遠ざけたりするためのアクチュエータ（８−１）と、を含むことを特徴とする、請求項３による、光ファイバーをリールに取り付ける装置。
【請求項５】
前記装置が、
前記光ファイバー（２）を巻き取るために、前記光ファイバー（２）を第１リール（３）に分配するための分配ホイール（１）と、
前記第１リール（３）を前記第１リール（３）の中心軸（３−１）を中心に回転させるため、且つ、前記光ファイバー（２）を前記第１リール（３）に巻き付けるために、異なる位置の間で前記中心軸（３−１）に沿って移動させるため、そして、前記第１リール（３）が満杯のときに、前記第１リール（３）を前記交換領域（６）へ移動させるために、案内軌道上に移動可能に配置される巻取機（４）と、を含むことを特徴とする、請求項１による、光ファイバーをリールに取り付ける装置。
【発明の詳細な説明】
【技術分野】
【０００１】
本発明は、光ファイバーをリールに取り付けるための装置に関する。
【背景技術】
【０００２】
従来、満杯のリール、又は空のリールに光ファイバーを取り付けるには、手動労力が必要とされている。
【発明の概要】
【発明が解決しようとする課題】
【０００３】
上述の取り扱いと関連した不利益の1つとして、光ファイバーをリールに手作業で取り付けることは、時間浪費である。
かくして、光ファイバーをリールに取り付ける装置を提供する本発明の目的は、上述の問題点の少なくともいくつを克服することにある。
【課題を解決するための手段】
【０００４】
本発明の目的は、独立請求項１に述べる内容によって特徴づけられる装置によって達成される。本発明の好ましい実施形態は従属請求項に開示される。
【０００５】
以下に、光ファイバーをリールに取り付ける装置の実施形態を示す添付の図面を参照して、本発明を、より詳細に記述する。
【図面の簡単な説明】
【０００６】
【図１】単一リール巻取装置の全体図である。
【図２】巻取装置の例を示す図である。
【図３ａ】図３ａ及び３ｂはそれぞれ、取付装置及びグリッパーの例を示す図である。
【図３ｂ】図３ａ及び３ｂはそれぞれ、取付装置及びグリッパーの例を示す図である。
【図４】単一リール巻取装置で満杯の第１リールを交換するための方法のブロックダイアグラムである。
【図５ａ】光ファイバーの取り付けと切断を図示する正面図である。
【図５ｂ】光ファイバーの取り付けと切断を図示する正面図である。
【図６ａ】単一リール巻取装置から、満杯リールの取り出しを図示する側面図である。
【図６ｂ】単一リール巻取装置から、満杯リールの取り出しを図示する側面図である。
【図７ａ】単一リール巻取装置への、空の第２リールの挿入を図示する側面図である。
【図７ｂ】単一リール巻取装置への、空の第２リールの挿入を図示する側面図である。
【図８ａ】空のリールへの光ファイバーの取り付けを図示する正面図である。
【図８ｂ】空のリールへの光ファイバーの取り付けを図示する正面図である。
【発明を実施するための形態】
【０００７】
図１は、単一リール巻取り装置の全体図であり、該装置は、光ファイバー２を巻き取るための、第1リール３に光ファイバー２を分配するための分配ホイール１と、巻取機４と、を含む。さらに、単一リール巻取装置は、第１リール３が交換領域６にあるときに、光ファイバー２を第１リール３に取り付けるための取付装置５と、第２リールが満杯であるときに、光ファイバー２を切断するためのカッター７と、分配ホイール１によって提供され、光ファイバー２をつかんで、光ファイバー２の取り付け及び切断の間、光ファイバー２を静止させておくためのグリッパー８と、を含む。グリッパー８は、さらに、満杯の第１リール３が交換領域６から取り出され、及び、空の第２リール９が光ファイバー２の巻き取りを継続するために、交換領域６に提供される間、光ファイバーを静止させておく。
【０００８】
図２は巻取機４の例を示す図である。巻取機４は、第1の回転可能なピン１０と、第２の回転可能なピン１１と、を含み、ピン１０、１１は光ファイバー２を第１リール３に巻き取るために、第１リール３に取り付くように配置される。巻取機４は、第１リール３を、第１リール３の中心軸３−１を中心に回転させ、光ファイバー２を第１リール３に巻き付けるために、異なる位置の間で第１リール３をその中心軸３−１に沿って移動させ、第１リール３が満杯のときに、第１リール３を交換領域６へ移動させるために、案内軌道１２上に移動可能に配置される。
【０００９】
図３ａ及び３ｂはそれぞれ、取付装置５とグリッパー８の例を示す図である。図３ａは、取付装置５の例を示す図である。取付装置５は、コレクター１５が光ファイバー２とリールに押し付けられたときに、フレームを圧縮するばね付勢フレーム１４と、テープ片を受け取るためのコレクター１５と、を含み、ここで、例えば、コレクター１５は、テープ供給所１６からテープ片を受け取るための、吸引バッドを含むのがよい。ばね付勢フレーム１４は、例えば、フレームの中のばねによってお互いに押し離される、２つの同軸配置の部品、即ち、一般的には管状の部品を有する、伸縮設計で実施されるのがよい。取付装置５は、光ファイバー２をテープ片でリールに取り付けるために、例えば、テープ供給所１６からテープ片を受け取るように構成されるのがよい。取付装置５は、取付装置５を移動させるための、そして、光ファイバー２をリールに取り付けるために、テープ片を有するコレクター１５を光ファイバー２とリールに押し付けるための、アクチュエータを含むのがよい。取付装置５は、さらに、カッター７を含むのがよい。カッター７は、例えば、取付装置５のばね付勢フレーム１４に並んで配置された刃物であるのがよい。
【００１０】
図３ｂは、グリッパー８が光ファイバー２をつかむために開閉するよう配置された、可動顎１３を含むことを示す。さらに、グリッパー８は、該グリッパー８をリールに近づけたり、光ファイバー２から遠ざけたりするためのアクチュエータを含むのがよい。
【００１１】
図４は、光ファイバー２を第１リール３に分配するための分配ホイール１を含む、単一リール巻取装置にある満杯の第１リール３を交換するための方法のブロックダイアグラムを示す。前記方法は、（Ａ）光ファイバー２が第１リール３のフランジからあふれるまで、第１リール３が満杯であるときに、第１リール３を分配ホイール１から遠ざけるように移動し、（Ｂ）分配ホイール１と第１リール３のフランジの間の位置で、光ファイバー２をつかみ、（Ｃ）光ファイバー２を第１リール３に取り付け、（Ｄ）光ファイバー２をグリッパー８と前記フランジの間の位置で切断し、（Ｅ）第１リール３を取り外し、（Ｆ）空の第２リールを光ファイバー２が第２リール９のフランジをはみ出す位置に移動し、（Ｇ）光ファイバー２を第２リール９のフランジに取り付け、（Ｈ）グリッパー８から光ファイバーを解放し、（Ｉ）第２リール９への光ファイバー２の巻き取りを開始すること、を含む。
【００１２】
図５乃至８は、さらに、図４に記載された方法を表す。図５ａ及び５ｂは、光ファイバー２の取り付け及び切断を図示する正面図である。図５ａにおいて、巻取機４は、グリッパー８が、分配ホイール１と、分配ホイール１に最も近い第１リール３のフランジとの間の位置で、光ファイバー２をつかむことができるように、第１リール３が満杯のときに、第１リール３を分配ホイール１から遠ざけるように配置される。言い換えれば、第１リール３が満杯であり、交換領域６に移動されたとき、第１リール３のフランジと分配ホール１の間に配置されたグリッパー８は、光ファイバーの方に移動し、光ファイバーを静止させておくため、可動顎を閉じることにより光ファイバーをつかむ。グリッパー８で、光ファイバーを静止させておくことは、リール交換の間、光ファイバーが外れず、光ファイバーを取り付けるために正確に配置することができるため、有利である。
【００１３】
グリッパー８が光ファイバー２をつかんだ後、取付装置５は、テープ片を切断し、且つ供給するように構成されたテープ供給所１６から、テープ片をコレクター１５で受け取る。単一動作で、光ファイバー２をリールに取り付け、且つ光ファイバー２を切断するために、次いで、取付装置５のコレクター１５を、光ファイバー２と、第１リール３の大きい第1フランジ１７に、押し付ける。言い換えれば、取付装置５は、取付装置５の（例えば）伸縮自在のばね付勢フレーム１４が、カッター７をコレクタ―１５を通り越させて、光ファイバー２を切断するほど十分に圧縮するような力で、テープ片を有するコレクター１５を、光ファイバー２と第１リール３の大きいフランジ１７に押し付ける。取付装置５は、取付装置５を移動させるための、及び、コレクター１５を光ファイバー２とリールに押し付けるためのアクチュエータ５−１を含むのがよい。グリッパー８もまた、グリッパー８を光ファイバー２の方に近づけ、光ファイバー２から遠ざけたりするためのアクチュエータ８−１を含むのがよい。前記アクチュエータ５−１、８−１は、例えば、図５ａ及び５ｂに表されているように、軌道２５上に移動可能に配置される空気圧シリンダーであるのがよい。
【００１４】
光ファイバー２が満杯の第１リール３に取り付けられ、そして切断されたとき、光ファイバー２の自由端を依然として保持しているグリッパー８は、満杯の第１リール３を次工程に移動させるため、満杯の第１リール３を交換領域６から遠ざけるように、満杯の第１リール３から遠ざかる。満杯の第１リール３を次工程に移動させる１つの可能な方法を、図６ａ及び図６ｂに図示する。
【００１５】
図６ａ及び６ｂは、単一リール巻取装置からの満杯の第１リール３の取り出しを図示する側面図である。図６ａでは、取り出し端１９を有する第１伸張アーム１８は、取り出し端１９が満杯の第１リール３の下に配置されるように、生産ライン２０の下流側から満杯の第１リール３に向かって、伸びる。次いで、巻取機４（図６a及び６ｂには図示せず）は、２個の回転可能なピン１０、１１を互いに遠ざけることにより、満杯の第１リール３から巻取器４自体を取り外し、かくして、満杯の第１リール３を第１伸張アーム１８の取り出し端１９上に解放し、次いで、第１伸張アーム１８は、生産ライン２０の下流側に、満杯の第１リール３と共に後退する。図６ｂに図示するように、第１伸張アーム１８が生産ラインに後退するとき、満杯の第１リール３を生産ラインに移動させるため、伸張アーム１８の下側に配置されたローラーもしくはホイールとの接触により、取り出し端１９は生産ライン２０の下流側に向かって傾く。
【００１６】
図７ａ及び７ｂは、空の第２リール９の単一リール巻取り装置への挿入を図示する側面図である。巻取機４（図7ａ及び７ｂには図示せず）は、満杯の第１リール３の取り出し後、取付装置５が光ファイバー２を空の第２リール９のフランジに取り付けることができるように、空の第２リール９を、分配ホイール１に最も近く配置される、空の第２リールのフランジが分配ホイール１とグリッパー８の間に配置される位置に、移動させるように配置される。言い換えれば、満杯の第１リール３の取り出し後、図７ｂに示すように、巻取機４は交換領域６に戻され、空の第２リール９は、プロセスラインの上流側で、巻き取るための適切な位置に回転される。空の第２リール９は、第２リール９のフランジの少なくとも１つの穴が、巻取機の対応するピン１０あるいは１１に係合するような正確な位置を得るために、例えば、第２伸張アーム２３に配置されたローラー２２を使用して回転される。次いで、図７ｂに示すように、伸張した端に空の第２リール９を有する第２伸張アーム２３は、生産ライン２１の上流側から交換領域６に向かって伸張する。
【００１７】
図８ａ及び８ｂは、光ファイバー２の空のリール９への取付を図示する正面図である。図８ａに示すように、いったん空の第２リール９が交換領域６に入ったら、巻取機４の２つのピン１０、１１は、空の第２リール９に取り付くために、互いに向かって移動する。次いで、光ファイバー２の自由端を依然として保持しているグリッパー８は、図８ｂに示すように、光ファイバー２の自由端を第２リール９の小さい第２フランジ２４に配置するため、空の第２リール９の小さい第２フランジ２４に向かって下げられる。次いで、取付装置５はテープ供給所１６からコレクター１５でテープ片を受け取り、空の第２リール９に戻り、光ファイバー２を小さい第２フランジ２４に取り付けるために、コレクター１５をテープ片と共に、光ファイバーと空の第２フランジ２４に押し付ける。
【００１８】
コレクター１５は、好ましくは、カッター７がコレクター１５を通り越して光ファイバー２を切断する程度まで、ばね付勢フレーム１４を圧縮しないような力で、光ファイバー２と小さい第２フランジ２４に押し付けられる。実施例では、アクチュエータは、光ファイバー２を空の第２リール９に取り付けるために、取付装置５のコレクター１５が光ファイバー２と空の第２リール９に押し付けられるとき、取付装置５のばね付勢フレーム１４の圧縮を制限するように構成されるのがよい。前記実施例では、アクチュエータは、空気圧シリンダーであり、取付装置５のばね付勢フレーム１４の最大ばね力より小さい圧力が、空気圧シリンダーに提供されるのがよい。これにより、ばね付勢フレーム１４が完全に圧縮されず、カッター７がコレクターを通り越さず、光ファイバー２を切断しないので、光ファイバーを空の第２リール９に取り付けることができる。
【００１９】
光ファイバー２が空の第２リール９に取り付けられた後、グリッパー８は、ファイバーを解放し、空の第２リール９から遠ざかる。次いで、光ファイバー２は、まず、所定巻き数、小さい第２フランジ２４に巻かれ、その後、リールは横に移動され、リールの二つの大きいフランジ１７の間の面に光ファイバー２を移動させて、光ファイバー２をリールの面に巻き続ける。リールの大きい第１フランジ１７は、光ファイバー２を前記フランジを通り越せるための、開口部を含むのがよい。
【００２０】
図５ａ、５ｂ、８ａ、８ｂにおいて、カッター７を含む取付装置５は、取付装置とカッターの両方の移動を制御するためのたった１つのアクチュエータ５−１を含む。もう１つの可能性は、前記取付装置と前記カッターの移動を別々に制御するために、取付装置５用の１つのアクチュエータ及び、カッター７用のもう１つのアクチュエータを備えることである。
【００２１】
技術の進歩に伴い、本発明の概念を様々な方法で実施し得ることは、当業者にとって明白であろう。本発明とその実施形態は、上述の実施例に限定されず、特許請求の範囲内において変更してもよい。
【符号の説明】
【００２２】
２              光ファイバー
５              取付装置
５−１          アクチュエータ
６              交換領域
７              カッター
８              グリッパー
８−１          アクチュエータ
１３            可動顎
１４            ばね付勢フレーム
１５            コレクター
１６            テープ供給所
【図１】
2020015622.tif 000003
【図２】
2020015622.tif 000004
【図３ａ】
2020015622.tif 000005
【図３ｂ】
2020015622.tif 000006
【図４】
2020015622.tif 000007
【図５ａ】
2020015622.tif 000008
【図５ｂ】
2020015622.tif 000009
【図６ａ】
2020015622.tif 000010
【図６ｂ】
2020015622.tif 000011
【図７ａ】
2020015622.tif 000012
【図７ｂ】
2020015622.tif 000013
【図８ａ】
2020015622.tif 000014
【図８ｂ】
2020015622.tif 000015
【外国語明細書】
2020015622000001.pdf